(57)【要約】【課題】  端末装置から印刷装置に印刷データを送信して印刷するシステムにおいて、記憶容量の少ない端末装置であっても、印刷コンテンツのデータ量にかかわらず、印刷装置で確実に印刷する端末装置、印刷装置、印刷要求プログラム及び印刷方法を提供することを目的とする。【解決手段】  印刷コンテンツの印刷要求に係る印刷要求データを生成するデータ生成部３２１と、前記データ生成部３２１により生成された印刷要求データを分割する分割部３２４と、前記分割部により分割された分割データを、前記印刷コンテンツを印刷する印刷装置が読み込む記憶装置に、書き込む書き込み部３２２と、前記印刷装置が前記記憶装置に書き込んだ、前記分割された印刷要求データの前記印刷装置における処理に係る情報を、読み出す読み出し部３２５とを有している。【選択図】  図３
2006301861.tif 000002
【特許請求の範囲】
【請求項１】
印刷コンテンツの印刷要求に係る印刷要求データを生成する印刷要求データ生成手段と、
前記印刷要求データ生成手段により生成された印刷要求データを分割するデータ分割手段と、
前記データ分割手段により分割された分割データを、前記印刷コンテンツを印刷する印刷装置が読み込む記憶装置に、書き込む書き込み手段と、
前記印刷装置が前記記憶装置に書き込んだ、前記分割された印刷要求データの前記印刷装置における処理に係る情報を、読み出す読み出し手段とを有することを特徴とする端末装置。
【請求項２】
コンピュータに、
印刷コンテンツの印刷要求に係る印刷要求データを生成する印刷要求データ生成手段、
前記印刷要求データ手段により生成された印刷要求データを分割するデータ分割手段、
前記データ分割手段により分割された分割データを、前記印刷コンテンツを印刷する印刷装置が読み込む記憶装置に、書き込む書き込み手段、
前記印刷装置が前記記憶装置に書き込んだ前記分割された印刷要求データに係る情報を読み出す読み出し手段として機能させるための印刷要求プログラム。
【請求項３】
コンピュータに、
前記データ分割手段により分割された印刷要求データに、前記印刷要求データの分割の順序又は回数に係る情報を付加した付加情報を生成する付加情報生成手段として機能させるための印刷要求プログラム。
【請求項４】
印刷コンテンツの印刷要求に係る印刷要求データを生成する印刷要求データ生成ステップと、
前記印刷要求データ生成ステップにおいて生成された印刷要求データを分割するデータ分割ステップと、
前記データ分割ステップにおいて分割された分割データを、前記印刷コンテンツを印刷する印刷装置が読み込む記憶装置に、書き込む書き込みステップと、
前記印刷装置が前記記憶装置に書き込んだ、前記分割された印刷要求データの前記印刷装置における処理に係る情報を、読み出す読み出しステップとを有することを特徴とする印刷方法。
【請求項５】
端末装置で生成された印刷コンテンツの印刷要求に係る印刷要求データを分割して、記憶装置に記憶した分割された印刷要求データを前記記憶装置から読み出す読み出し手段と、
前記読み出し手段により読み出した前記分割された印刷要求データの処理状況を前記記憶装置に書き込む書き込み手段と、
前記読み出し手段により読み出されたデータを保管する保管手段と、
前記保管手段により保管された分割データを再構成する印刷データ再構成手段と、
前記印刷データ再構成手段により再構成された前記印刷要求データに基づき印刷データを生成する印刷データ生成手段と、
前記印刷データを印刷する印刷手段とを有することを特徴とする印刷装置。
【請求項６】
コンピュータに、
端末装置で生成された印刷コンテンツの印刷要求に係る印刷要求データを分割して、記憶装置に記憶した分割された印刷要求データを前記記憶装置から読み出す読み出し手段、
前記読み出し手段により読み出した前記分割された印刷要求データの処理状況を前記記憶装置に書き込む書き込み手段、
前記読み出し手段により読み出されたデータを保管する保管手段、
前記保管手段により保管された分割データを再構成する印刷データ再構成手段、
前記印刷データ再構成手段により再構成された前記印刷要求データに基づき印刷データを生成する印刷データ生成手段、
前記印刷データを印刷する印刷手段として機能させるための印刷要求プログラム。
【請求項７】
端末装置で生成された印刷コンテンツの印刷要求に係る印刷要求データを分割して、記憶装置に記憶した分割された印刷要求データを前記記憶装置から読み出す読み出しステップと、
前記読み出しステップにおいて読み出した前記分割された印刷要求データの処理状況を前記記憶装置に書き込む書き込みステップと、
前記読み出しステップにおいて読み出されたデータを保管する保管ステップと、
前記保管ステップにおいて保管された分割データを再構成する印刷データ再構成ステップと、
前記印刷データ再構成ステップにおいて再構成された前記印刷要求データに基づき印刷データを生成する印刷データ生成ステップと、
前記印刷データを印刷する印刷ステップとを有することを特徴とする印刷方法。
【請求項８】
印刷コンテンツの印刷要求に係る印刷要求データを生成する印刷要求データ生成手段と、
前記印刷要求データ生成手段で生成された印刷要求データに、誤り検出用データを付加する誤り検出用データ付加手段と、
前記誤り検出用データ付加手段により誤り検出用データが付加された前記印刷要求データを記憶装置に書き込む書き込み手段と、
印刷装置が前記記憶装置に書き込んだ、前記印刷装置における前記誤り検出用データが付加された印刷要求データの処理に係る情報を読み出す読み出し手段とを有することを特徴とする端末装置。
【請求項９】
コンピュータに、
印刷コンテンツの印刷要求に係る印刷要求データを生成する印刷要求データ生成手段、
前記印刷要求データ生成手段で生成された印刷要求データに、誤り検出用データを付加する誤り検出用データ付加手段、
前記誤り検出用データ付加手段により誤り検出用データが付加された前記印刷要求データを記憶装置に書き込む書き込み手段、
印刷装置が前記記憶装置に書き込んだ、前記印刷装置における前記誤り検出用データが付加された印刷要求データの処理に係る情報を読み出す読み出し手段として機能させるための印刷要求プログラム。
【請求項１０】
印刷コンテンツの印刷要求に係る印刷要求データを生成する印刷要求データ生成ステップと、
前記印刷要求データ生成ステップにおいて生成された印刷要求データに、誤り検出用データを付加する誤り検出用データ付加ステップと、
前記誤り検出用データ付加ステップにおいて誤り検出データが付加された前記印刷要求データを記憶装置に書き込む書き込みステップと、
印刷装置が前記記憶装置に書き込んだ、前記印刷装置における前記誤り検出用データが付加された印刷要求データの処理に係る情報を読み出す読み出しステップとを有することを特徴とする印刷方法。
【請求項１１】
端末装置で生成された印刷コンテンツの印刷要求に係る誤り検出用データが付加された印刷要求データを、記憶した記憶装置のデータを読み出す読み出し手段と、
前記読み出し手段により読み出された誤り検出用データが付加された印刷要求データの誤りを検出する誤り検出手段と、
前記誤り検出手段の検出結果を前記記憶装置に書き込む書き込み手段と、
前記読み出し手段により読み出された前記印刷要求データに基づき印刷データを生成する印刷データ生成手段と、
前記印刷データを印刷する印刷手段とを有することを特徴とする印刷装置。
【請求項１２】
コンピュータに、
端末装置で生成された印刷コンテンツの印刷要求に係る誤り検出用データが付加された印刷要求データを、記憶した記憶装置のデータを読み出す読み出し手段、
前記読み出し手段により読み出された誤り検出用データが付加された印刷要求データの誤りを検出する誤り検出手段、
前記誤り検出手段の検出結果を前記記憶装置に書き込む書き込み手段、
前記読み出し手段により読み出された前記印刷要求データに基づき印刷データを生成する印刷データ生成手段、
前記印刷データを印刷する印刷手段として機能させるための印刷要求プログラム。
【請求項１３】
端末装置で生成された印刷コンテンツの印刷要求に係る誤り検出用データが付加された印刷要求データを、記憶した記憶装置のデータを読み出す読み出しステップと、
前記読み出しステップにおいて読み出された誤り検出用データが付加された印刷要求データの誤りを検出する誤り検出ステップと、
前記誤り検出ステップにおいて検出結果を前記記憶装置に書き込む書き込みステップと、
前記読み出しステップにおいて読み出された前記印刷要求データに基づき印刷データを
生成する印刷データ生成ステップと、
前記印刷データを印刷する印刷ステップとを有することを特徴とする印刷方法。
【請求項１４】
前記記憶装置を有することを特徴とする請求項１又は８記載の端末装置。
【請求項１５】
前記記憶装置はRFIDタグ中に設けられている特徴とする請求項１又は８記載の端末装置。
【請求項１６】
前記記憶装置を有することを特徴とする請求項５又は１１記載の印刷装置。
【請求項１７】
AB/印刷/装置/+RFID
前記記憶装置はRFIDタグ中に設けられている特徴とする請求項５又は１１記載の印刷装置。
【請求項１８】
請求項２、３又は９記載の印刷要求プログラムを搭載した端末装置。
【請求項１９】
請求項６又は１２記載の印刷要求プログラムを搭載した印刷装置。
【発明の詳細な説明】
【技術分野】
【０００１】
本発明は、端末装置、印刷装置、印刷要求プログラム及び印刷方法に関する。
【背景技術】
【０００２】
印刷する方法として、携帯電話、PDA等の端末装置からプリンタ等の印刷装置に印刷データを送信し、この印刷装置により印刷データを印刷するという方法がある。例えば、コンテンツを印刷する場合、端末装置にこの印刷コンテンツデータを一旦記憶させて、その記憶した印刷コンテンツデータを印刷装置に送信して、このデータに基づいて印刷装置により印刷する（特許文献１参照。）。また、記憶媒体を介して端末装置の印刷コンテンツに関する印刷要求データを印刷装置へ送信して、この印刷要求データに基づいて印刷する従来技術も知られている。
【０００３】
図１に、この従来技術の構成例のブロック図を示す。図１の従来技術は、端末装置１２０、印刷装置１４０及び記憶媒体１６０から構成されている。端末装置１２０は、携帯電話、PDA等の通信用端末機器であり、データ生成部１２１、書き込み部１２２及び通信I/F部１２３から構成されている。データ生成部１２１は、印刷コンテンツを識別するURL（Uniform  Resource  Locator）、指定印刷装置名等の印刷コンテンツの印刷要求に関する印刷要求データを生成する。書き込み部１２２は、データ生成部１２１で生成された印刷要求データを記憶媒体１６０に書き込む。通信I/F部１２３は、端末装置１２０と記憶媒体１６０との通信用のインタフェースである。印刷装置１４０は、文字、画像等を印刷するプリンタ装置、複合機等の印刷機器であり、読み込み部１４１、印刷データ生成部１４２、印刷部１４３及び通信I/F部１４４から構成されている。読み込み部１４１は、端末装置１２０が記憶媒体１６０に書き込んだ印刷要求データを、記憶媒体１６０から読み出す。印刷データ生成部１４２は、読み込み部１４１により読み出された印刷要求データに基づいて、印刷要求データに記述されている印刷コンテンツを識別するURLを参照して印刷コンテンツのデータにアクセスし、また、印刷要求データに記述されている指定印刷装置名を参照して印刷装置を選択することにより、印刷データを生成する。印刷要求データに記述されている印刷コンテンツを識別するURLて印刷データを生成する。印刷部１４３は、印刷データ生成部１４２により生成された印刷データを印刷する。通信I/F部１４４は、印刷装置１４０と記憶媒体１６０との通信用のインタフェースである。記憶媒体１６０は、データを記憶するメモリ、RFID等の記憶装置であり、記憶部１６１、制御部１６２及び通信I/F部１６３から構成されている。記憶部１６１は、端末装置１２０が書き込んだ印刷要求データを記憶する。制御部１６２は、記憶媒体１６０全体の動作を制御する。通信I/F部１６３は、端末装置１２０及び印刷装置１４０と記憶媒体１６０との通信用のインタフェースである。
【０００４】
図２に、従来技術の動作を説明する図を示す。図１を参照しながら従来技術の動作の説明をする。まず、端末装置１２０において、ステップS２２１で、データ生成部１２１により、印刷コンテンツを識別するURL、指定印刷装置名等の印刷コンテンツの印刷要求に関する印刷要求データを生成する。次に、ステップS２２２で、書き込み部１２２により、データ生成部１２１で生成された印刷要求データを記憶媒体１６０に書き込む。次に、印刷装置において、ステップS２４１で、読み込み部１４１により、端末装置１２０が記憶媒体１６０に書き込んだ印刷要求データを、記憶媒体１６０から読み出す。次に、ステップS２４２で、印刷データ生成部１４２により、読み込み部１４１により読み出された印刷要求データに基づいて印刷データを生成する。そして、印刷部１４３において、印刷データ生成部１４２により生成された印刷データを印刷する。
【特許文献１】特開２０００−１６８１９８公報
【発明の開示】
【発明が解決しようとする課題】
【０００５】
しかしながら、一般的に、携帯電話、PDA等の端末装置は、PC等のコンピュータ装置に比べると、装置に搭載されている記憶装置の記憶容量は少ない。そのため、端末装置にこの印刷コンテンツデータを一旦記憶させて、その記憶した印刷コンテンツデータを印刷装置に送信して印刷をする従来の技術では、端末装置の処理負荷が大きすぎるという問題がある。
【０００６】
本発明は、上記の点に鑑みなされたもので、端末装置から印刷装置に印刷データを送信して印刷するシステムにおいて、記憶容量の少ない端末装置であっても、印刷コンテンツのデータ量にかかわらず、印刷装置で確実に印刷する端末装置、印刷装置、印刷要求プログラム及び印刷方法を提供することを目的とする。
【課題を解決するための手段】
【０００７】
上記目的を達成するために、本発明の端末装置は、印刷コンテンツの印刷要求に係る印刷要求データを生成する印刷要求データ生成手段と、前記印刷要求データ生成手段により生成された印刷要求データを分割するデータ分割手段と、前記データ分割手段により分割された分割データを、前記印刷コンテンツを印刷する印刷装置が読み込む記憶装置に、書き込む書き込み手段と、前記印刷装置が前記記憶装置に書き込んだ、前記分割された印刷要求データの前記印刷装置における処理に係る情報を、読み出す読み出し手段とを有するように構成することができる。
【０００８】
また、上記目的を達成するために、本発明の印刷要求プログラムは、コンピュータに、印刷コンテンツの印刷要求に係る印刷要求データを生成する印刷要求データ生成手段、前記印刷要求データ手段により生成された印刷要求データを分割するデータ分割手段、前記データ分割手段により分割された分割データを、前記印刷コンテンツを印刷する印刷装置が読み込む記憶装置に、書き込む書き込み手段、前記印刷装置が前記記憶装置に書き込んだ前記分割された印刷要求データに係る情報を読み出す読み出し手段として機能させるように構成することができる。
【０００９】
また、上記目的を達成するために、本発明の印刷要求プログラムは、コンピュータに、前記データ分割手段により分割された印刷要求データに、前記印刷要求データの分割の順序又は回数に係る情報を付加した付加情報を生成する付加情報生成手段として機能させるように構成することができる。
【００１０】
また、上記目的を達成するために、本発明の印刷方法は、印刷コンテンツの印刷要求に係る印刷要求データを生成する印刷要求データ生成ステップと、前記印刷要求データ生成ステップにおいて生成された印刷要求データを分割するデータ分割ステップと、前記データ分割ステップにおいて分割された分割データを、前記印刷コンテンツを印刷する印刷装置が読み込む記憶装置に、書き込む書き込みステップと、前記印刷装置が前記記憶装置に書き込んだ、前記分割された印刷要求データの前記印刷装置における処理に係る情報を、読み出す読み出しステップとを有するように構成することができる。
【００１１】
また、上記目的を達成するために、本発明の印刷装置は、端末装置で生成された印刷コンテンツの印刷要求に係る印刷要求データを分割して、記憶装置に記憶した分割された印刷要求データを前記記憶装置から読み出す読み出し手段と、前記読み出し手段により読み出した前記分割された印刷要求データの処理状況を前記記憶装置に書き込む書き込み手段と、前記読み出し手段により読み出されたデータを保管する保管手段と、前記保管手段により保管された分割データを再構成する印刷データ再構成手段と、前記印刷データ再構成手段により再構成された前記印刷要求データに基づき印刷データを生成する印刷データ生成手段と、前記印刷データを印刷する印刷手段とを有するように構成することができる。
【００１２】
また、上記目的を達成するために、本発明の印刷要求プログラムは、コンピュータに、端末装置で生成された印刷コンテンツの印刷要求に係る印刷要求データを分割して、記憶装置に記憶した分割された印刷要求データを前記記憶装置から読み出す読み出し手段、前記読み出し手段により読み出した前記分割された印刷要求データの処理状況を前記記憶装置に書き込む書き込み手段、前記読み出し手段により読み出されたデータを保管する保管手段、前記保管手段により保管された分割データを再構成する印刷データ再構成手段、前記印刷データ再構成手段により再構成された前記印刷要求データに基づき印刷データを生成する印刷データ生成手段、前記印刷データを印刷する印刷手段として機能させるように構成することができる。
【００１３】
また、上記目的を達成するために、本発明の印刷方法は、端末装置で生成された印刷コンテンツの印刷要求に係る印刷要求データを分割して、記憶装置に記憶した分割された印刷要求データを前記記憶装置から読み出す読み出しステップと、前記読み出しステップにおいて読み出した前記分割された印刷要求データの処理状況を前記記憶装置に書き込む書き込みステップと、前記読み出しステップにおいて読み出されたデータを保管する保管ステップと、前記保管ステップにおいて保管された分割データを再構成する印刷データ再構成ステップと、前記印刷データ再構成ステップにおいて再構成された前記印刷要求データに基づき印刷データを生成する印刷データ生成ステップと、前記印刷データを印刷する印刷ステップとを有するように構成することができる。
【００１４】
また、上記目的を達成するために、本発明の端末装置は、印刷コンテンツの印刷要求に係る印刷要求データを生成する印刷要求データ生成手段と、前記印刷要求データ生成手段で生成された印刷要求データに、誤り検出用データを付加する誤り検出用データ付加手段と、前記誤り検出用データ付加手段により誤り検出用データが付加された前記印刷要求データを記憶装置に書き込む書き込み手段と、印刷装置が前記記憶装置に書き込んだ、前記印刷装置における前記誤り検出用データが付加された印刷要求データの処理に係る情報を読み出す読み出し手段とを有するように構成することができる。
【００１５】
また、上記目的を達成するために、本発明の印刷要求プログラムは、コンピュータに、印刷コンテンツの印刷要求に係る印刷要求データを生成する印刷要求データ生成手段、前記印刷要求データ生成手段で生成された印刷要求データに、誤り検出用データを付加する誤り検出用データ付加手段、前記誤り検出用データ付加手段により誤り検出用データが付加された前記印刷要求データを記憶装置に書き込む書き込み手段、印刷装置が前記記憶装置に書き込んだ、前記印刷装置における前記誤り検出用データが付加された印刷要求データの処理に係る情報を読み出す読み出し手段として機能させるように構成することができる。
【００１６】
また、上記目的を達成するために、本発明の印刷方法は、印刷コンテンツの印刷要求に係る印刷要求データを生成する印刷要求データ生成ステップと、前記印刷要求データ生成ステップにおいて生成された印刷要求データに、誤り検出用データを付加する誤り検出用データ付加ステップと、前記誤り検出用データ付加ステップにおいて誤り検出データが付加された前記印刷要求データを記憶装置に書き込む書き込みステップと、印刷装置が前記記憶装置に書き込んだ、前記印刷装置における前記誤り検出用データが付加された印刷要求データの処理に係る情報を読み出す読み出しステップとを有するように構成することができる。
【００１７】
また、上記目的を達成するために、本発明の印刷装置は、端末装置で生成された印刷コンテンツの印刷要求に係る誤り検出用データが付加された印刷要求データを、記憶した記憶装置のデータを読み出す読み出し手段と、前記読み出し手段により読み出された誤り検出用データが付加された印刷要求データの誤りを検出する誤り検出手段と、前記誤り検出手段の検出結果を前記記憶装置に書き込む書き込み手段と、前記読み出し手段により読み出された前記印刷要求データに基づき印刷データを生成する印刷データ生成手段と、前記印刷データを印刷する印刷手段とを有するように構成することができる。
【００１８】
また、上記目的を達成するために、本発明の印刷要求プログラムは、コンピュータに、端末装置で生成された印刷コンテンツの印刷要求に係る誤り検出用データが付加された印刷要求データを、記憶した記憶装置のデータを読み出す読み出し手段、前記読み出し手段により読み出された誤り検出用データが付加された印刷要求データの誤りを検出する誤り検出手段、前記誤り検出手段の検出結果を前記記憶装置に書き込む書き込み手段、前記読み出し手段により読み出された前記印刷要求データに基づき印刷データを生成する印刷データ生成手段、前記印刷データを印刷する印刷手段として機能させるように構成することができる。
【００１９】
また、上記目的を達成するために、本発明の印刷方法は、端末装置で生成された印刷コンテンツの印刷要求に係る誤り検出用データが付加された印刷要求データを、記憶した記憶装置のデータを読み出す読み出しステップと、前記読み出しステップにおいて読み出された誤り検出用データが付加された印刷要求データの誤りを検出する誤り検出ステップと、前記誤り検出ステップにおいて検出結果を前記記憶装置に書き込む書き込みステップと、前記読み出しステップにおいて読み出された前記印刷要求データに基づき印刷データを生成する印刷データ生成ステップと、前記印刷データを印刷する印刷ステップとを有するように構成することができる。
【００２０】
また、上記目的を達成するために、本発明の端末装置は、前記記憶装置はRFIDタグ中に設けられているように構成することができる。
【００２１】
また、上記目的を達成するために、本発明の印刷装置は、前記記憶装置を有するように構成することができる。
【００２２】
また、上記目的を達成するために、本発明の端末装置は、印刷要求プログラムを搭載するように構成することができる。
【発明の効果】
【００２３】
本発明によれば、端末装置から印刷装置に印刷データを送信して印刷するシステムにおいて、記憶容量の少ない端末装置であっても、印刷コンテンツのデータ量にかかわらず、印刷装置で確実に印刷する端末装置、印刷装置、印刷要求プログラム及び印刷方法を提供することができる。
【発明を実施するための最良の形態】
【００２４】
次に、本発明の実施の形態について図面と共に説明する。
する。
【実施例１】
【００２５】
図３に、実施例１の構成例のブロック図を示す。図３の実施例は、端末装置３２０、印刷装置３４０及び記憶媒体３６０から構成されている。端末装置３２０は、携帯電話、PDA等の通信用端末機器であり、データ生成部３２１、分割部３２４、付加情報生成部３２６、読み込み部３２５、書き込み部３２２及び通信I/F部３２３から構成されている。データ生成部３２１は、印刷コンテンツを識別するURL、指定印刷装置名等の印刷コンテンツの印刷要求に関する印刷要求データを生成する。分割部３２４は、データ生成部３２１により生成された印刷要求データを記憶媒体３６０の記憶容量を考慮して分割する。付加情報生成部は３２６は、分割部３２４により分割された印刷要求データに、分割の順序、回数等の情報を付加した付加情報を生成する。書き込み部３２２は、印刷要求データを記憶媒体３６０に書き込む。読み込み部３２５は、印刷装置３６０が記憶媒体３６０に書き込んだ分割された印刷要求データに関する情報を読み出す。通信I/F部３２３は、端末装置３２０と記憶媒体３６０との通信用のインタフェースである。印刷装置３４０は、文字、画像等を印刷するプリンタ装置、複合機等の印刷機器であり、読み込み部３４１、保管部３４６、再構成部３４７、書き込み部３４５、印刷データ生成部３４２、印刷部３４３及び通信I/F部３４４から構成されている。読み込み部３４１は、端末装置３２０が記憶媒体３６０に書き込んだ分割された印刷要求データを、記憶媒体３６０から読み出す。保管部３４６は、読み込み部３４１により読み出された分割された印刷要求データを保管する。再構成部３４７は、付加情報に基づいて保管部３４６で保管した分割された印刷要求データを再構成する。書き込み部３４５は、読み込み部３４１により読み出された分割された印刷要求データが全て到達したか否か等の印刷要求データの処理状況を記憶媒体３６０に書き込む。印刷データ生成部３４２は、再構成部３４７により再構成された印刷要求データに基づき印刷データを生成する。印刷部３４３は、印刷データ生成部３４２により生成された印刷データを印刷する。通信I/F部３４４は、印刷装置３４０と記憶媒体３６０との通信用のインタフェースである。記憶媒体３６０は、データを記憶するメモリ、RFID等の記憶装置であり、記憶部３６１、制御部３６２及び通信I/F部３６３から構成されている。記憶部３６１は、端末装置３２０が書き込む分割された印刷要求データ及び印刷装置３４０が書き込む印刷要求データの処理状況に係るデータを記憶する。制御部３６２は、記憶媒体３６０全体の動作を制御する。通信I/F部３６３は、端末装置３２０及び印刷装置３４０と記憶媒体３６０との通信用のインタフェースである。
【００２６】
図４に、実施例１の動作を説明する図を示す。図３を参照しながら実施例１の動作の説明をする。
【００２７】
まず、端末装置３２０において、ステップS４２１で、データ生成部３２１により、印刷コンテンツを識別するURL、指定印刷装置名等の印刷コンテンツの印刷要求に関する印刷要求データを生成する。次に、ステップS４２２で、分割部３２４により、データ生成部３２１により生成された印刷要求データを分割する。次に、ステップS４２３で、付加情報生成部３２６により、分割部３２４により分割された印刷要求データに、分割の順序、回数等の情報である付加情報を生成する。次に、ステップS４２４で、書き込み部３２２により、印刷要求データを記憶媒体３６０に書き込む。次に、印刷装置３４０において、ステップS４４１で、読み込み部３４１により、端末装置３２０が記憶媒体３６０に書き込んだ分割された印刷要求データを、記憶媒体３６０から読み出す。次に、ステップS４４２で、読み込み部３４１により読み出された分割された印刷要求データが全て到達したか否か等の印刷要求データの処理状況を記憶媒体３６０に書き込む。次に、ステップS４４３で、分割された印刷要求データが全て到達したか否かを判別し、分割された印刷要求データが全て到達した場合、ステップS４４４で、再構成部３４７により、保管部３４６で保管した分割された印刷要求データを再構成する。次に、ステップS４４５で、印刷データ生成部３４２により、再構成部３４７により再構成された印刷要求データに基づき印刷データを生成する。そして、印刷部３４３において、印刷データ生成部３４２により生成された印刷データを印刷する。
【００２８】
こうすることで、記憶容量の少ない端末装置であっても、印刷コンテンツのデータ量にかかわらず、印刷装置で確実に印刷することができる。
【００２９】
図５に、実施例１における変形例（その１）のブロック図を示す。図５の実施例は、端末装置５２０及び印刷装置５４０から構成され、記憶媒体を端末装置５２０が備えている場合である。端末装置５２０は、携帯電話、PDA等の通信用端末機器であり、データ生成部５２１、分割部５２４、付加情報生成部５２６、読み込み部５２５、書き込み部５２２及び記憶媒体５６０から構成されている。データ生成部５２１は、印刷コンテンツを識別するURL、指定印刷装置名等の印刷コンテンツの印刷要求に関する印刷要求データを生成する。分割部５２４は、データ生成部５２１により生成された印刷要求データを分割する。付加情報生成部５２６は、分割部５２４により分割された印刷要求データに、分割の順序、回数等の情報を付加した付加情報を生成する。読み込み部５２５は、印刷装置５６０が記憶媒体５６０に書き込んだ分割された印刷要求データに関する情報を読み出す。書き込み部５２２は、印刷要求データを記憶媒体５６０に書き込む。記憶媒体５６０は、データを記憶するメモリ、RFID等の記憶装置であり、記憶部５６１、制御部５６２及び通信I/F部５６３から構成されている。記憶部５６１は、書き込み部５２２が書き込む分割された印刷要求データ及び印刷装置５４０が書き込む印刷要求データの処理状況を記憶する。制御部５６２は、記憶媒体５６０全体の動作を制御する。通信I/F部５６３は、書き込み部５２２及び印刷装置５４０との通信用のインタフェースである。印刷装置５４０は、文字、画像等を印刷するプリンタ装置、複合機等の印刷機器であり、読み込み部５４１、保管部５４６、再構成部５４７、書き込み部５４５、印刷データ生成部５４２、印刷部５４３及び通信I/F部５４４から構成されている。読み込み部５４１は、記憶媒体５６０に書き込まれている分割された印刷要求データを、記憶媒体５６０から読み出す。保管部５４６は、読み込み部５４１により読み出された分割された印刷要求データを保管する。再構成部５４７は、保管部５４６で保管した分割された印刷要求データを再構成する。書き込み部５４５は、読み込み部５４１により読み出された分割された印刷要求データが全て到達したか否か等の印刷要求データの処理状況を記憶媒体５６０に書き込む。印刷データ生成部５４２は、再構成部５４７により再構成された印刷要求データに基づき印刷データを生成する。印刷部５４３は、印刷データ生成部５４２により生成された印刷データを印刷する。通信I/F部５４４は、印刷装置５４０と記憶媒体５６０との通信用のインタフェースである。
【００３０】
図６に、実施例１における変形例（その２）のブロック図を示す。図６の実施例は、端末装置６２０及び印刷装置６４０から構成され、記憶媒体を印刷装置５４０が備えている場合である。端末装置６２０は、携帯電話、PDA等の通信用端末機器であり、データ生成部６２１、分割部６２４、付加情報生成部６２６、読み込み部６２５、書き込み部６２２及び通信I/F部６２３から構成されている。データ生成部６２１は、印刷コンテンツを識別するURL、指定印刷装置名等の印刷コンテンツの印刷要求に関する印刷要求データを生成する。分割部６２４は、データ生成部６２１により生成された印刷要求データを分割する。付加情報生成部は６２６は、分割部６２４により分割された印刷要求データに、分割の順序、回数等の情報を付加した付加情報を生成する。書き込み部６２２は、印刷要求データを記憶媒体６６０に書き込む。読み込み部６２５は、印刷装置６６０が記憶媒体６６０に書き込んだ分割された印刷要求データに関する情報を読み出す。通信I/F部６２３は、記憶媒体６６０との通信用のインタフェースである。印刷装置６４０は、文字、画像等を印刷するプリンタ装置、複合機等の印刷機器であり、読み込み部６４１、保管部６４６、再構成部６４７、書き込み部６４５、印刷データ生成部６４２、印刷部６４３及び記憶媒体６６０から構成されている。読み込み部６４１は、記憶媒体６６０に書き込まれている分割された印刷要求データを、記憶媒体６６０から読み出す。保管部６４６は、読み込み部６４１により読み出された分割された印刷要求データを保管する。再構成部６４７は、保管部６４６で保管した分割された印刷要求データを再構成する。書き込み部６４５は、読み込み部６４１により読み出された分割された印刷要求データが全て到達したか否か等の印刷要求データの処理状況を記憶媒体６６０に書き込む。印刷データ生成部６４２は、再構成部６４７により再構成された印刷要求データに基づき印刷データを生成する。印刷部６４３は、印刷データ生成部６４２により生成された印刷データを印刷する。記憶媒体６６０は、データを記憶するメモリ、RFID等の記憶装置であり、記憶部６６１、制御部６６２及び通信I/F部６６３から構成されている。記憶部６６１は、端末装置６２０の書き込み部６２２が書き込む分割された印刷要求データ及び印刷装置６４０が書き込む印刷要求データの処理状況を記憶する。制御部６６２は、記憶媒体６６０全体の動作を制御する。通信I/F部６６３は、端末装置６２０及び印刷装置６４０の書き込み部６４５との通信用のインタフェースである。
【実施例２】
【００３１】
図７に、実施例２の構成例のブロック図を示す。図７の実施例は、端末装置７２０、印刷装置７４０及び記憶媒体７６０から構成されている。端末装置７２０は、携帯電話、PDA等の通信用端末機器であり、データ生成部７２１、誤り検出用情報付加部７３０、読み込み部７２５、書き込み部７２２及び通信I/F部７２３から構成されている。データ生成部７２１は、印刷コンテンツを識別するURL、指定印刷装置名等の印刷コンテンツの印刷要求に関する印刷要求データを生成する。誤り検出用情報付加部７３０は、データ生成部７２１により生成された印刷要求データに対して、誤り検出用データを生成して、その誤り検出用データを付加する。書き込み部７２２は、誤り検出用情報付加部７３０により誤り検出用データが付加された印刷要求データを記憶装置７６０に書き込む。読み込み部７２５は、印刷装置が記憶装置７６０に書き込んだ誤り検出用のデータが付加された印刷要求データの処理に関する情報を読み出す。通信I/F部７２３は、端末装置７２０と記憶媒体７６０との通信用のインタフェースである。印刷装置７４０は、文字、画像等を印刷するプリンタ装置、複合機等の印刷機器であり、読み込み部７４１、誤り検出部７５０、書き込み部７４５、印刷データ生成部７４２、印刷部７４３及び通信I/F部７４４から構成されている。読み込み部７４１は、端末装置７２０により生成された誤り検出用データが付加された印刷要求データを記憶装置７６０から読み出す。誤り検出部７５０は、読み込み部７４１により読み出された誤り検出用データが付加された印刷要求データの誤りを検出する。書き込み部７４５は、誤り検出部７５０の検出結果を記憶装置７６０に書き込む。印刷データ生成部７４２は、読み込み部７４１により読み出された印刷要求データに基づき印刷データを生成する。印刷部７４３は、印刷データ生成部７４２により生成された印刷データを印刷する。通信I/F部７４４は、印刷装置７４０と記憶媒体７６０との通信用のインタフェースである。記憶媒体７６０は、データを記憶するメモリ、RFID等の記憶装置であり、記憶部７６１、制御部７６２及び通信I/F部７６３から構成されている。記憶部７６１は、端末装置７２０が書き込む誤り検出用データの付加された印刷要求データ及び印刷装置７４０が書き込む誤り検出結果データを記憶する。制御部７６２は、記憶媒体７６０全体の動作を制御する。通信I/F部７６３は、端末装置７２０及び印刷装置７４０と記憶媒体７６０との通信用のインタフェースである。
【００３２】
図８に、実施例２の動作を説明する図を示す。図７を参照しながら実施例２の動作の説明をする。まず、端末装置７２０において、ステップS８２１で、データ生成部７２１により、印刷コンテンツを識別するURL、指定印刷装置名等の印刷コンテンツの印刷要求に関する印刷要求データを生成する。次に、ステップS１０２で、誤り検出用情報付加部７３０により、データ生成部７２１により生成された印刷要求データに、誤り検出用データを付加する。次に、ステップS８２３で、書き込み部７２２により、誤り検出用情報付加部７３０により誤り検出用データが付加された印刷要求データを記憶装置７６０に書き込む。次に、印刷装置７４０において、ステップS８４１で、読み込み部７４１により、端末装置７２０により生成された誤り検出用データが付加された印刷要求データを記憶装置７６０から読み出す。次に、ステップS８４２で、誤り検出部７５０により、読み込み部７４１により読み出された誤り検出用データが付加された印刷要求データの誤りを検出する。次に、ステップS８４３で、書き込み部７４５により、誤り検出部７５０の検出結果を記憶装置７６０に書き込む。次に、ステップS８４４で、検出結果を判別して、検出結果に誤りが無い場合、次のステップS８４５で、印刷データ生成部７４２により、読み込み部７４１により読み出された印刷要求データに基づき印刷データを生成する。そして、印刷部７４３により、印刷データ生成部７４２により生成された印刷データを印刷する。
【００３３】
こうすることで、記憶媒体を介した端末装置から印刷装置への印刷要求データの送信であっても、印刷要求データの誤りを抑制することができる。
【実施例３】
【００３４】
図９に、実施例３の構成例のブロック図を示す。図９の実施例は、端末装置９２０、印刷装置９４０及び記憶媒体９６０から構成されている。端末装置９２０は、携帯電話、PDA等の通信用端末機器であり、データ生成部９２１、分割部９２４、付加情報生成部９２６、誤り検出用情報付加部９３０、読み込み部９２５、書き込み部９２２及び通信I/F部９２３から構成されている。データ生成部９２１は、印刷コンテンツを識別するURL、指定印刷装置名等の印刷コンテンツの印刷要求に関する印刷要求データを生成する。分割部９２４は、データ生成部９２１により生成された印刷要求データを分割する。付加情報生成部９２６は、分割部９２４により分割された印刷要求データに、分割の順序、回数等の情報を付加した付加情報を生成する。誤り検出用情報付加部９３０は、印刷要求データに、誤り検出用データを付加する。読み込み部９２５は、分割された印刷要求データの処理状況及び誤り検出用のデータが付加された印刷要求データの処理に関する情報を記憶装置９６０から読み出す。書き込み部９２２は、分割され誤り検出用データの付加された印刷要求データを記憶媒体９６０に書き込む。通信I/F部９２３は、端末装置９２０と記憶媒体９６０との通信用のインタフェースである。印刷装置９４０は、文字、画像等を印刷するプリンタ装置、複合機等の印刷機器であり、読み込み部９４１、誤り検出部９５０、保管部９４６、再構成部９４７、書き込み部９４５、印刷データ生成部９４２、印刷部９４３及び通信I/F部９４４から構成されている。読み込み部９４１は、端末装置９２０が記憶媒体９６０に書き込んだ分割され誤り検出用データの付加された印刷要求データを、記憶媒体９６０から読み出す。誤り検出部９５０は、誤り検出用データが付加された印刷要求データの誤りを検出する。保管部９４６は、読み出された分割された印刷要求データを保管する。再構成部９４７は、保管部９４６で保管した分割された印刷要求データ印刷要求データを再構成する。書き込み部９４５は、分割された印刷要求データの処理状況及び誤り検出用のデータが付加された印刷要求データの処理に関する情報を記憶媒体９６０に書き込む。印刷データ生成部９４２は、再構成部９４７により再構成された印刷要求データに基づき印刷データを生成する。印刷部９４３は、印刷データ生成部９４２により生成された印刷データを印刷する。通信I/F部９４４は、印刷装置９４０と記憶媒体９６０との通信用のインタフェースである。記憶媒体９６０は、データを記憶するメモリ、RFID等の記憶装置であり、記憶部９６１、制御部９６２及び通信I/F部９６３から構成されている。記憶部９６１は、端末装置９２０が書き込む分割され誤り検出用データの付加された印刷要求データ及び印刷装置９４０が書き込む印刷要求データの処理状況を記憶する。制御部９６２は、記憶媒体９６０全体の動作を制御する。通信I/F部９６３は、端末装置９２０及び印刷装置９４０と記憶媒体９６０との通信用のインタフェースである。
【００３５】
図１０に、実施例３の動作を説明する図を示す。図９を参照しながら実施例３の動作の説明をする。まず、端末装置９２０において、ステップS１０２１で、データ生成部９２１により、印刷コンテンツを識別するURL、指定印刷装置名等の印刷コンテンツの印刷要求に関する印刷要求データを生成する。次に、ステップS１０２２で、分割部９２４により、データ生成部９２１により生成された印刷要求データを分割する。次に、ステップS１０２３で、付加情報生成部９２６により、分割部９２４により分割された印刷要求データに、分割の順序、回数等の情報を付加した付加情報を生成し、誤り検出用情報付加部９３０により、印刷要求データに、誤り検出用データを付加する。次に、ステップS１０２４で、書き込み部９２２により、分割され誤り検出用データの付加された印刷要求データを記憶媒体９６０に書き込む。次に、印刷装置において、ステップS１０４１で、読み込み部９４１により、端末装置９２０が記憶媒体９６０に書き込んだ分割され誤り検出用データの付加された印刷要求データを、記憶媒体９６０から読み出す。次に、ステップS１０４２で、誤り検出部９５０により、誤り検出用データが付加された印刷要求データの誤りを検出する。次に、ステップS１０４３で、書き込み部９４５により、分割された印刷要求データの処理状況及び誤り検出用のデータが付加された印刷要求データの処理に関する情報を記憶媒体９６０に書き込む。次に、ステップS１０４４で、検査結果を判別して、誤りが無い場合、ステップS１０４５で、再構成部９４７により、保管部９４６で保管した分割された印刷要求データ印刷要求データを再構成する。次のステップS９４５で、印刷データ生成部９４２により、再構成された印刷要求データに基づき印刷データを生成する。そして、印刷部９４３により、印刷データ生成部９４２により生成された印刷データを印刷する。
【００３６】
こうすることで、記憶容量の少ない端末装置であっても、印刷コンテンツのデータ量にかかわらず、印刷装置で確実に印刷することができるとともに、記憶媒体を介した端末装置から印刷装置への印刷要求データの送信であっても、印刷要求データの誤りを抑制することも可能となる。
【００３７】
尚、上記の実施例では、印刷要求に関する印刷要求データとしてURL、指定印刷装置名を説明したが、印刷要求に関する印刷要求データは、URN（Uniform  Resource  Name）、利用者の個人情報、課金情報等を用いてもよい。
【００３８】
また、上記の実施例では、通信手段としてRFIDを説明したが、通信手段は、有線、赤外線、Bluetooth等を用いてもよい。
【００３９】
また、上記の実施例では、記憶媒体としてRFIDを説明したが、記憶媒体は、揮発性メモリ、不揮発性メモリ等を用いてもよい。
【００４０】
本発明は、具体的に開示された実施例に限定されるものではなく、特許請求の範囲から逸脱することなく、種々の変形や変更が可能である。
【図面の簡単な説明】
【００４１】
【図１】従来技術の構成例のブロック図である。
【図２】従来技術の動作を説明する図である。
【図３】実施例１の構成例のブロック図である。
【図４】実施例１の動作を説明する図である。
【図５】実施例１における変形例（その１）のブロック図である。
【図６】実施例１における変形例（その２）のブロック図である。
【図７】実施例２の構成例のブロック図である。
【図８】実施例２の動作を説明する図である。
【図９】実施例３の構成例のブロック図である。
【図１０】実施例３の動作を説明する図である。
【符号の説明】
【００４２】
１２０、３２０、７２０、９２０  端末装置
１２１、３２１、７２１、９２１  データ生成部
１２２、３２２、３４５、７２２、７４５、９２２、９４５  書き込み部
１２３、１４４、１６３、３２３、３６３、７２３、７４４、９２３、９４４  通信I/F部
１４０、３４０、７４０、９４０  印刷装置
１４１、３２５、３４１、７２５、７４１、９２５、９４１  読み込み部
１４２、３４２、７４２、９４２  印刷データ生成部
１４３、３４３、７４３、９４３  印刷部
１６０、３６０、７６０  記憶媒体
１６１、３６１、７６１  記憶部
１６２、３６２、７６２  制御部
３２４、９２４  分割部
３２６、９２６  付加情報生成部
３４６、９４６  保管部
３４７、９４７  再構成部
７３０、９３０  誤り検出用情報付加部
７５０、９５０  誤り検出部
【図１】
2006301861.tif 000003
【図２】
2006301861.tif 000004
【図３】
2006301861.tif 000005
【図４】
2006301861.tif 000006
【図５】
2006301861.tif 000007
【図６】
2006301861.tif 000008
【図７】
2006301861.tif 000009
【図８】
2006301861.tif 000010
【図９】
2006301861.tif 000011
【図１０】
2006301861.tif 000012
【手続補正書】
【提出日】平成17年5月27日(2005.5.27)
【手続補正１】
【補正対象書類名】特許請求の範囲
【補正対象項目名】請求項３
【補正方法】変更
【補正の内容】
【請求項３】
コンピュータに、
前記データ分割手段により分割された印刷要求データに、前記印刷要求データの分割の順序又は回数に係る情報を付加した付加情報を生成する付加情報生成手段として機能させるための請求項２記載の印刷要求プログラム。
【手続補正２】
【補正対象書類名】特許請求の範囲
【補正対象項目名】請求項１５
【補正方法】変更
【補正の内容】
【請求項１５】
前記記憶装置はRFIDタグ中に設けられていることを特徴とする請求項１又は８記載の端末装置。
【手続補正３】
【補正対象書類名】特許請求の範囲
【補正対象項目名】請求項１７
【補正方法】変更
【補正の内容】
【請求項１７】
前記記憶装置はRFIDタグ中に設けられていることを特徴とする請求項５又は１１記載の印刷装置。